(57)【要約】流体透過性身体対向面と、身体対向側を有する吸収体コアとを含む吸収性物品を提供する。吸収体綿撒糸が、吸収体コアの身体対向側に取り付けられ、吸収体コアと身体対向面との間に配置される。綿撒糸は、吸収体コアに対し、大きい構造的剛性及び減少された表面積を有する。綿撒糸は、人体の解剖学的形状に適合するように構成される。
2005527299.tif 000002
【特許請求の範囲】
【請求項１】
流体透過性身体対向面と、
身体対向側を有する吸収体コアと、
前記吸収体コアの身体対向側に取り付けられ、前記吸収体コアと前記身体対向面との間に配置された吸収体綿撒糸と、
を備え、前記吸収体綿撒糸が、前記吸収体コアに対し、大きい構造的剛性及び減少された表面積を有し、前記吸収体綿撒糸が、人体の解剖学的形状に適合するように構成されることを特徴とする吸収性物品。
【請求項２】
前記身体対向面が二成分繊維を含むことを特徴とする請求項１に記載の吸収性物品。
【請求項３】
前記二成分繊維が、ポリエステル又はポリプロピレン内部コアとポリエチレン外鞘とを含むことを特徴とする請求項２に記載の吸収性物品。
【請求項４】
前記身体対向面が、縦方向に前記吸収性物品に沿って延び、弓形の外端部を含むことを特徴とする請求項１に記載の吸収性物品。
【請求項５】
前記吸収体コアが、縦方向に前記吸収性物品に沿って延び、弓形の外端部を含むことを特徴とする請求項１に記載の吸収性物品。
【請求項６】
前記吸収体コアが、木材パルプ及び超吸収体ポリマー材料を含むことを特徴とする請求項１に記載の吸収性物品。
【請求項７】
前記吸収体綿撒糸が、前記吸収体コアに対し、大きな構造的剛性及び減少された表面積を有し、前記吸収体コアが前記綿撒糸まわりで望ましく変形して、吸収体区分を形成し、不本意な変形に抵抗するように構成されることを特徴とする請求項１に記載の吸収性物品。
【請求項８】
前記吸収体綿撒糸が、狭い中央区域と、そこから延びる外端部とを含むことを特徴とする請求項７に記載の吸収性物品。
【請求項９】
前記吸収体綿撒糸が、身体表面に対応する体型に合わされた形状を有することを特徴とする請求項８に記載の吸収性物品。
【請求項１０】
前記吸収体綿撒糸が、砂時計形状を有することを特徴とする請求項８に記載の吸収性物品。
【請求項１１】
前記吸収体コアが、前記吸収体綿撒糸に対し、高い坪量及び低い密度を有することを特徴とする請求項１に記載の吸収性物品。
【請求項１２】
前記吸収体綿撒糸が空気堆積材料を含むことを特徴とする請求項１に記載の吸収性物品。
【請求項１３】
前記空気堆積材料が木材パルプと超吸収体ポリマー材料とを含むことを特徴とする請求項１に記載の吸収性物品。
【請求項１４】
前記吸収体綿撒糸が、前記身体対向面に係合する捕集層を含むことを特徴とする請求項１に記載の吸収性物品。
【請求項１５】
前記捕集層が三次元穿孔フィルムであることを特徴とする請求項１４に記載の吸収性物品。
【請求項１６】
前記身体対向面は、弾性部材が配置された縦方向外縁部を定めることを特徴とする請求項１に記載の吸収性物品。
【請求項１７】
前記弾性部材が接着剤コーティングを有することを特徴とする請求項１６に記載の吸収性物品。
【請求項１８】
身体表面と係合するように構成され、縦方向側部を定め、ポリプロピレン内部コアとポリエチレン外鞘とを有する二成分繊維を含む、流体透過性カバーストックと、
身体対向側と両側の側部とを有し、縦方向に前記吸収性物品に沿って延び、弓形の外端部を有し、木材パルプと超吸収体ポリマー材料とを含む吸収体コアと、
前記吸収体コアと前記カバーストックとの間に配置された砂時計形状の吸収体綿撒糸と、
を備え、前記吸収体綿撒糸は、前記吸収体コアの身体対向側に取り付けられた空気堆積材料を含み、前記空気堆積材料に取り付けられ且つ前記カバーストックと係合する三次元穿孔捕集フィルムをさらに含み、前記吸収体コアに対し、大きい構造的剛性及び減少された表面積を有し、前記吸収体コアは、前記吸収体綿撒糸の砂時計形状のまわりに折り曲げられ、前記吸収性物品の不本意な変形に抵抗するように構成され、
前記カバーストックは、前記縦方向側部に隣接して配置された接着剤被覆弾性部材を含み、前記縦方向側部は、前記吸収体コア及び前記吸収体綿撒糸を囲い込むために、ポリラミネートバックシートまわりに折り曲げられることを特徴とする吸収性物品。
【請求項１９】
前記吸収体綿撒糸が、身体表面に係合するようになった形状を有することを特徴とする請求項１８に記載の吸収性物品。
【請求項２０】
身体表面と係合するように構成されたカバーストックと、
身体対向側を有する吸収体コアと、
前記身体対向側に取り付けられ、前記吸収体コアと前記カバーストックとの間に配置された吸収体綿撒糸と、
を備え、前記吸収体綿撒糸は、流体排出物を吸収し、前記吸収体コアの不本意な変形に対して抵抗するための構造手段を有することを特徴とする吸収性物品。
【発明の詳細な説明】
【技術分野】
【０００１】
本開示は、一般に、使い捨て吸収性物品に関し、より詳細には、層が協働して不本意な変形を防止する複数層吸収体を有する使い捨て吸収性物品に関する。
【背景技術】
【０００２】
例えば、使い捨ておむつ、成人失禁用パッド、生理用ナプキン、パンティライナ、失禁用衣類等といった吸収性物品は、通常は、乳児又は失禁症の成人によって衣類と協同して装着され、身体表面等に接触するように配置される。吸収性物品は、例えば、血液、月経分泌物、尿、水性体液、粘液、細胞残骸等のような体液排出物を収集し、吸収するため等に用いられる。例えば、吸収性物品は、人の脚の間の股領域に隣接して配置することができる。吸収性物品は、衣類に置かれ、流体排出物を収集するために股領域の身体表面と係合されることになる。
周知のように、吸収性物品は、典型的には、身体表面と係合するための流体透過性カバーストックと、流体不透過性バックシートと、それらの間に支持される吸収体コアとを含む。バックシートは、衣類への流体の漏れを防止するための防湿層として働く。吸収体コアは、普通は、身体表面に対面する液体保持材料を含む。吸収体コアは、流体排出物を捕集し、保持するための木材パルプのような、ふわっと形成されたセルロース繊維を含むことができる。
【０００３】
吸収体コアは、流体排出物を吸収し、失禁用パッドのような成人用吸収性物品については、尿のような大量の流体を取り扱うために相当に厚く作られることがある。しかしながら、吸収体コアは、それらの寸法及び嵩のために不適当に厚くされることがある。これらの吸収性物品の欠点の１つは、厚いおむつ状の外観であり、成人着用者にとっては恥ずかしいものである。
より最近では、嵩高さを克服するために、他の吸収性物品、特に婦人用パッド、生理用ナプキン、パンティライナ、失禁用衣類等の他の吸収性物品は、長く、狭く、かつ比較的平らに製造されている。これらの吸収性物品は、身体表面に緊密に接触して装着され、下着によって一定位置に保持されるように設計される。しかしながら、これらの設計の幾つかは、それらが身体表面に係合する際に、例えば、束状になったり、縄状になったり、皺寄り等によって不本意に変形する傾向がある。吸収性物品の不本意な変形により、流体排出物の漏れが引き起こされることがある。
流体排出物の漏れは、典型的には、吸収体コアの過飽和によるものではなく、溜まった流体排出物が流出することによるものである。すなわち、排泄のような流体の排出中に、尿がカバーストックに蓄積されて、吸収体コアに浸透する前に水溜りを形成することがよくある。吸収性物品が不本意に変形され、水溜りが生じる場合には、コアが束になるために尿が吸収されないことがある。したがって、流体の流出が起こり、その結果として吸収性物品からの早過ぎる漏れが生じる。
【０００４】
着用性が改善された吸収性物品を提供するための試みがなされている。幾つかの設計は、その縦方向の側部に沿って弾性要素を組み入れる弓形形状のパッドを提供するものである。例えば、米国特許第４，７０１，１７７号及び同第４，７７０，６５７号を参照されたい。他の設計は、流出を吸収するように構成された複数層トップシート、吸収体コア等の配置を用いることによって、漏れを防止することを試みるものである。例えば、米国特許第５，２１１，６４１号、同第５，７９２，１３０号、同第５，５５８，６５５号、同第５，５９９，３３４号、及び同第５，９１３，８５０号を参照されたい。しかしながら、このタイプの設計は、流体管理を促進するために所望の変形を生じさせる製品の可撓性に対処するものではない。これらの従来の設計は、吸収性能を妨げることがある不本意な変形を適切に防止できるものではない。不本意な製品変形は、吸収性物品の所望の形状を変化させて、早過ぎる漏れを生じさせることがある。
したがって、層が協働して不本意な変形を防止し、所望の変形を促進して吸収性能を改善する複数層吸収体を含む吸収性物品を提供することによって、従来技術の欠点及び難点を克服することが望まれる。吸収性物品は、構造安定性を与えるために増大された剛性を有する吸収体綿撒糸を含むことが検討される。吸収性物品は、身体表面の輪郭に適合し、流体排出物の迅速な分散を可能にすることがさらに検討される。
【発明の開示】
【０００５】
したがって、層が協働して不本意な変形を防止し、所望の変形、例えば身体表面の輪郭に適合すること等を促進して吸収性能を改善する複数層吸収体を含む吸収性物品が開示される。吸収性物品は、構造的安定性を与えるために、増大された剛性をもつ吸収体綿撒糸を含むことが望ましい。最も望ましくは、吸収性物品は、製品が三次元のカップ形の形状になって、パッドから漏れ出て溢れ流れる流体を収容するための障壁を形成し、有利な流体管理を通じて流体排出物の迅速な分散を与えることができる。吸収体綿撒糸は、製品における「背骨」のように働き、側部に沿った弾性張力がかけられたときに、その下にある、より柔軟且つより可撓性の吸収体コアが、そのまわりで上向きに折り曲げられるようにする。
本開示の目的及び利点は、ここでは部分的に記載され、そこから部分的に明らかとなる、すなわち、本開示の実施によって学習することができ、それは、ここで図示され説明されたその構成部材、構造、配置、組み合わされる段階及び改善点からなる、本開示の装置及び方法に関して添付の請求項において指摘された手段及び組み合わせによって実現され、達成される。
【０００６】
本開示の原理に係る１つの特定の実施形態においては、吸収性物品は、上に空気堆積複合材、及び下にパルプ／超吸収体ポリマー材料コアを有する二重吸収体コアシステムを含む。吸収体物品はまた、捕集層として三次元穿孔フィルム、布状バックシート、柔軟な弾性サイドギャザー、柔軟な／快適なカバーストック、感圧接着剤トラック及び剥離紙を含む。三次元穿孔フィルムは、雄側が空気堆積に面する状態で空気堆積複合材に取り付けられる。空気堆積複合材及び穿孔三次元フィルム層は、砂時計／体型に合わされたパターン形状に切断される。これは、下にあるパルプ／超吸収体ポリマー材料コア層に対して幅が狭く、長さが短い。この設計は、パルプ／超吸収体ポリマー材料コアに対し、低い坪量を有し、構造的安定性が堅固である。パルプ／超吸収体ポリマー材料コアは、身体の動き又は弾性収縮による力がかかったときの折れ曲り易さのために、薄く、可撓性にされる。
【０００７】
或いは、パルプ／超吸収体ポリマー材料コアは、超吸収体ポリマー材料を含有する発泡体、超吸収体ポリマー材料を含有するティッシュ、超吸収体ポリマー材料を含有する不織材など、並びにティッシュラップすることができる通常のパルプフラフ・超吸収体粒子基材から製造することができる。カバーストックは、柔軟で、やや嵩高く、改善された柔軟性及び快適さを与える。弾性部材又はストランドは、接着剤で直接被覆されて、高い接着剤塗布量に関連する剛性を最小にする。それらはカバーストックに取り付けられ、Ｃ字折り曲がり形状に折り曲げられる。布状の流体不透過性障壁は、弾性部材に接触することなく、パルプ／超吸収体ポリマー材料吸収体コアの縦方向側縁を越えて延びる。この形状は、材料の収縮が少ないので、より柔軟な弾性ギャザーを有利に与える。
【０００８】
布状の流体不透過性障壁は、ポリラミネート（不織材とポリ）、通気性ポリラミネート（微孔性フィルムと不織材）、スロットコート接着剤を含有する高坪量ＳＭＳ又はＳＭＭＳ等から製造することができる。位置決め接着剤は、布状のバックシートの不織側に断続的に位置合わせされた１つ又はそれ以上のトラックを含むことができる。位置決め接着剤のために、スチレン−ブタジエン−スチレン（ＳＢＳ）、スチレン−イソプレン−スチレン（ＳＩＳ）、ＳＩＳ／ＳＢＳ、スチレンエチレン／ブチレンスチレン（ＳＥＢＳ）組成物のようなタクチック化材料を利用したホットメルト接着剤を用いることができる。切断され、配置された剥離紙は、位置決め接着剤上に取り付けられる。位置決め接着剤に面する一方の側にシリコンコーティングを有する印刷紙を用いることができる。シリコンコーティングを有する印刷ポリラミネートを用いることもできる。
ここで開示された吸収性物品は、空気堆積複合材と三次元穿孔フィルム捕集層とが組み合わされた形状及び複合材を与える。この形状は、人の股領域にフィットし、使用中の快適さを与える。中央区域は、吸収体コア複合材の外側の端部の一方又は両方より狭くすることができる。これは、多くの形及び寸法形状が、人の腿と接触するときに股領域にフィットすることを可能にする。空気堆積複合材は、吸収性物品の他の構成材より剛性の高いものとすることができ、吸収体コアが束状になり、また、ロープ状になるのを減少させるための背骨を与える。空気堆積複合材のフィッティングをさらに促進するために、複合材の横方向幅を減少させることができる。
【０００９】
パルプ／超吸収体ポリマー材料の吸収体コアは、より薄くし、複合材の下に横たわるように設計された低坪量吸収体材料から構成することができる。パルプ／超吸収体ポリマー材料は、横方向幅及び縦方向長さが大きい。この設計は、空気堆積複合材からの尿の流出を有利に吸収し、張力下の弾性体の収縮力によって、カップ形の形状に容易に適合させることができる。パルプ超吸収体ポリマー材料吸収体コアは、高い可撓性及び弾性があり、乾燥状態及び湿潤状態の両方において良好な一体性を有する。或いは、空気堆積複合材は、吸収体コア材料の下に配置することができる。二重吸収体層の空気堆積複合材及び吸収体コアは、本開示の所望の利点を達成するために、坪量、剛性、表面積、パルプ／超吸収体ポリマー材料ブレンド、密度、形状、材料の構成及び厚さが異なるものとすることができる。
【００１０】
吸収性能を最大にするために、弾性部材は、製品の両側で伸ばされて、吸収体コアまわりに「バケット状」形状を形成する。これは、吸収体が過飽和になるか又は大量の排泄を受けるときの液体の流出及び溜まりに関連する早過ぎる漏れを低減させる。三次元穿孔フィルムは、圧力及び過飽和（再湿潤）を受けるときに流体排出物がカバーストックから逆戻りするのを低減させる。低い再湿潤値は、皮膚の健康を増進させ、刺激を減少させる。
使用中の快適さを最大にするために、カバーストックは、例えば、通気結合される（粗い点結合がない）二成分繊維等のような柔軟な繊維から形成される。二成分繊維は、強度を促進させるポリプロピレン又はポリエステル内部コアと、柔軟性及び熱結合できることを促進させるポリエチレン外鞘とからなるものとすることができる。バックシート材料は、弾性ギャザーに隣接する身体表面に接触する衣類対向不織層を有することができる。
【００１１】
別の実施形態においては、吸収性物品は、流体透過性身体対向面と、身体対向側を有する吸収体コアとを与える。吸収体綿撒糸は、吸収体コアの身体対向側に取り付けられ、吸収体コアと身体対向面との間に配置される。綿撒糸は、吸収体コアに対し、大きな構造的剛性と、減少された表面積とを有する。綿撒糸は、人体の解剖学的形状にフィットするように構成される。
さらに別の実施形態においては、吸収性物品は、身体表面に係合するように構成され、縦方向側部を定める流体透過性カバーストックを有する。カバーストックは、ポリプロピレン又はポリエステル内部コアとポリエチレン外鞘とを有する二成分繊維を含む。吸収性物品の吸収体コアは、身体対向側、及び両側の側部を有し、縦方向に吸収性物品に沿って延びる。吸収体コアは、弓形の外端部を有し、木材パルプ及び超吸収体ポリマー材料を含む。砂時計形状の吸収体綿撒糸が、吸収体コアとカバーストックとの間に配置される。綿撒糸は、吸収体コアの身体対向側に取り付けられた空気堆積材料を含む。綿撒糸はさらに、カバーストックに係合する空気堆積材料に取り付けられた三次元穿孔捕集フィルムを含む。綿撒糸は、吸収体コアに対し、大きい構造的剛性及び減少された表面積を有する。吸収体コアは、綿撒糸の砂時計形状まわりに折り曲げられるように構成され、吸収性物品の不本意な変形に対して抵抗する。カバーストックは、縦方向側部に隣接して配置された接着剤被覆弾性部材を含む。縦方向側部は、吸収体コア及び綿撒糸を囲い込むために、ポリラミネートバックシートまわりで折り曲げられる。
さらに別の実施形態においては、吸収体綿撒糸は、流体排出物を吸収し、吸収体コアの不本意な変形に対して抵抗する構造手段を有する。
本開示の目的及び特徴は、特に添付の請求項に記載される。本開示は、その構成及び作動方法について、さらなる目的及び利点と共に、以下の詳細な説明を付属の図面と併せて読むことによって理解されるであろう。
【発明を実施するための最良の形態】
【００１２】
吸収性物品の例示的な実施形態及び開示された使用方法は、流体吸収性物品について、より詳細には、層が協働して吸収性物品を装着している人に最大の防護及び快適さを与える、複数層形状をもつ吸収体コアについて説明される。本開示の原理に係る吸収性物品は、例えば、縄状になったり、束状になったり、破断、皺寄り等のような不本意な製品変形を防止し、所望の変形、例えば身体表面の輪郭に適合すること等を促進して吸収力を改善すると考えられる。それにより、ここで開示される吸収性物品は、例えば、血液、月経分泌物、尿、水性体液、粘液、細胞残骸等といった流体排出物の早過ぎる漏れ、溢流などを避ける。吸収性物品は、使い捨ておむつ、成人失禁用パッド、婦人用パッド、生理用ナプキン、パンティライナ、失禁用衣類などに用いることができると考えられる。さらに、本開示はまた、寝具及び家具アンダーパッド、創傷被覆材等に用いることができると考えられる。
【００１３】
以下の説明においては、「身体対向面」という用語は、身体表面の方に向けられた構造体の部分のことをいい、「衣類対向面」とは、衣類の方に向けられた構造体の部分のことをいい、典型的には身体対向面の反対側であり、そう呼んでもよい。ここで用いられる「身体表面」という用語は、人からの流体排出物を収集し、吸収すること等のために吸収性物品が配置される、人の身体の部分のことをいう。
以下の記述は、吸収性物品の詳細な説明、そして本開示に係るその使用方法の詳細な説明である。ここで、付属の図面に示されている本開示の例示的実施形態について詳細に言及する。
【００１４】
ここで、幾つかの図面を通じて同じ構成材が同じ参照番号で示されている図面を参照する。最初に図１−図３を参照すると、本開示の原理に従って形成された、例えば身体対向面１４を有するカバーストック１２のような流体透過性トップシートを含む吸収性物品１０が示されている。吸収性物品１０はさらに、身体対向側１８を有する吸収体コア１６をさらに含む。
吸収体綿撒糸２０は、身体対向側１８に取り付けられ、吸収体コア１６と、カバーストック１２の身体対向面１４との間に配置される。吸収体綿撒糸２０は、より大きい構造的剛性と、吸収体コア１６に対する減少された表面積を有する。吸収体コア１６と吸収体綿撒糸２０は、カバーストック１２と流体不透過性バックシート２２との間に支持される。吸収性物品１０は、１つ又は複数の吸収体層、吸収体綿撒糸、トップシート及び／又はバックシートを含むことが検討される。吸収体コアと綿撒糸は、例えば、本開示の原理に従って綿撒糸とカバーストックとの間に配置され交互に積層されたコアのように相対的に配置されることがさらに検討される。
【００１５】
吸収体綿撒糸２０は、吸収体コア１６に対して大きな構造的剛性と、減少された表面積とを有し、それにより吸収体コア１６は、例えば、吸収体綿撒糸２０のまわりで折り曲げること等によって望ましく変形して、身体表面の輪郭に適合するように構成される。こうした所望の変形は、後述するように身体表面に適合して流体排出物を吸収し、吸収性物品１０の不本意な変形に対して抵抗する、吸収体区分２４（図１に想像で示される）を形成すると考えられる。吸収性物品１０は、不本意な製品変形を防止し、吸収性能を向上させ、それにより流体放出に起因する早過ぎる漏れ、溢流等を防止するように有利に構成される。最も有利なことには、吸収性物品１０は、身体表面の輪郭に適合し、説明されるように、その流体管理機能を通じて流体排出物を迅速に分散させることができる。
吸収体コア１６及び吸収体綿撒糸２０は、吸収性物品１０の縦方向長さに沿って配置される。図１に示されるように、吸収性物品１０は、平坦な形状に広げて縦軸ｘを定めることができる。吸収体コア１６及び吸収体綿撒糸２０は、例えば、横断、オフセット等というように縦軸ｘに対して交互に配置することができると想定される。例えば、身体が動く間又は弾性収縮の間といった使用の間に、吸収体コア１６及び吸収体綿撒糸２０は、協働して吸収体コア１０の所望の変形を介して区分２４を定める。この形状は、所望の変形を促進し、吸収性物品１０の背骨状構造を与える高い剛比により、吸収性物品１０の不本意な変形を防止する。
【００１６】
区分２４の形状及び寸法は、吸収体コア１６及び吸収体綿撒糸２０の仕様に応じて様々に定められる。図１に（想像で）示されるように、吸収体コア１６は、身体の動き、人の寸法などに応じて、綿撒糸２０の砂時計形状のまわりで変形することが望ましい。例えば、複数の区分２４を形成することができるが、それは必ずしも同時である必要はない。しかしながら、区分２４は、同時に形成されてもよいと考えられる。特定の区分２４又は区分２４の領域の形成は、例えば、身体の移動方向等に依存することとなる。
区分２４の境界は、所望の変形後に、身体表面（図示せず）に対する吸収性物品１０の可撓性を促進するように構成されたチャネル３２によって定められる。チャネル３２は、吸収体コア１６の多くの吸収性媒体を用いて漏れを防止するために、吸収性物品１０の縦方向側部３４に向けて流体の流れを有利に分散させると考えられる。さらに、チャネル３２の形成は、吸収性物品１０を身体表面の輪郭に適合させることを促進して、流体排出物の迅速な分散を可能にすると考えられる。チャネル３２の向きは、区分２４の形状によって決まる。
【００１７】
吸収体綿撒糸２０は、吸収体コア１６の高い坪量に対し、より堅固な構造的安定性のために低い坪量と高い密度を有する。吸収体コア１６は、吸収体綿撒糸２０に対し、より可撓性であり、それにより吸収体コア１６は、説明されるようなバケット又はカップ形状に適合する。この形状は、快適さ及び改善された吸収性能を有利に与える。これは、所望の変形、及び縄状になったり、束状になったりする等に対する抵抗性を含む、吸収性物品１０の機能によるものである。
吸収性物品１０は、人の股領域にフィットし、その形状に適合して、使用中の快適さを与える。例えば、吸収体綿撒糸２０は、後で詳細に説明するように、股領域への改善されたフィット性を与えるために、狭い中央区域２６と外側の端部２８、３０とを有する。外側の端部２８、３０の一方のみが中央区域２６より大きい幅を有し、或いは中央区域２６及び端部２８、３０が同じ幅をもつことが想定される。吸収体綿撒糸２０は、小さい表面積を有し、大きい表面積を有する吸収体コア１６に取り付けられる。吸収体コア１６の大きい表面積は、吸収体綿撒糸２０から流出した流体排出物の吸収を容易にすると考えられる。
【００１８】
吸収性物品１０は、排出された体液の流体保持のために検討される。より具体的には、吸収性物品１０は、流体の漏れ及び溢流を防止し、並びに不本意な変形に抵抗するために、中でも、吸収力及び身体適合機能をもつ使い捨て吸収性装置となることが想定される。中でも、本開示から実現される上記の利点は、ここで説明するような身体表面に柔軟に適合する吸収性物品１０によって達成される。本開示のこれらの特徴は、排出された流体の流体保持を有利に促進し、後の溢流を防止する。
カバーストック１２は、吸収体綿撒糸２０の身体対向面３６に隣接して配置され、人の身体表面に接触して装着されるように構成される。身体対向面３６は、後で説明するように、該身体対向面に取り付けられた捕集フィルム層３８を含む。
【００１９】
捕集フィルム層３８は、流体排出物を吸収し、吸収体綿撒糸２０及び吸収体コア１６を含む吸収性物品１０の一部に移送するために、カバーストック１２と直接係合するように構成される。カバーストック１２は、本開示に係る特定の吸収力用途に応じて、吸収体コア１６と係合し、吸収体綿撒糸２０の他の部分と係合することができる。使用の際に、カバーストック１２は、体液透過性及び弾性があり、比較的吸収せず、流体排出物を吸収体綿撒糸２０及び吸収体コア１６に向かわせるのを促進するように構成される。その後、カバーストック１２は、流体排出物を容易に透過させる。さらに、カバーストック１２は、身体表面に隣接する比較的乾いた表面を与えるために、その構造体中に最小限の流体を保持するか又は保持しない。また、快適さ及び人への順応性をもつように設計される。カバーストック１２は、二成分繊維及び通気結合材から製造されることが想定される。例えば、二成分繊維は、強度のためのポリプロピレン又はポリエステル内部コアと、柔らかさ及び熱的に結合可能であるためのポリエチレン鞘とを含むことができる。使用されるカバーストック材料は、柔軟で、少なくとも部分的に嵩高いことが検討される。
【００２０】
カバーストック１２は、流体排出物を容易に通す織成、不織、穿孔フィルム、天然又は合成材料から製造することができる。カバーストック１２は、縦方向側部３４及びその縦方向端部に隣接する弓形の端部３５に重なるのに十分なだけの幅を有する単一の材料シートである。端部３５は、他の幾何学的形状をもつことができる。図３に示されるように、カバーストック１２は、横方向にＣ字折り曲がり形状で延びる。この形状は、流体不透過性バックシート２２と協働して、吸収性物品１０の構成材を囲い込む。トップシート１２は、複数の層を含むことができると想定される。
カバーストック１２は、バックシート２２にシールされる外側の縁部４０を形成し、吸収性物品１０の構成材を十分に囲い込む。カバーストック１２は、吸収性物品１０の一部の上にのみ配置することができると考えられる。カバーストック１２は、例えば、ポリエチレン、ポリプロピレン、ポリエステル等のような熱可塑性ポリマーの繊維又はフィラメントから製造することができる。カバーストック１２はまた、当業者には公知のように、吸収体綿撒糸２０及び吸収体コア１６へと流体を直ちに透過させることができる他の材料から製造することもできる。これは、穿孔フィルム、穿孔不織材、レーヨン繊維、二成分繊維、ティッシュ等を含む。
【００２１】
バックシート２２は、吸収体コア１６の衣類対向面４２に隣接して配置され、外側の縁部４０とシール係合するために縁部４４まで延びる。バックシート２２は、通常は、身体表面から遠い方向に、人が着用する下着の方に面する。バックシート２２は、吸収性物品１０からの流体排出物の通過を防止しながら、吸収性物品１０からの空気及び蒸気の通過を可能にする。或いは、バックシート２２は、完全に流体及び蒸気不透過性とすることができる。バックシート２２の衣類対向側４６は、布状のテクスチャを有し、不織材である。バックシート２２を製造するための材料には、例えば、ポリラミネート、高坪量ＳＭＳ、スロットコート接着剤によるＳＭＭＳ、ポリエチレン、ポリプロピレン、ポリエステル、セロファン等のようなポリマーフィルム、又はエチル−ビニル−アセテート及びポリエチレン共押出しフィルムのような二成分フィルムといった流体不透過性材料がある。処理された材料はまた、撥流体性含浸紙又は不織布などに用いることもできる。しかしながら、当業者には公知の他の材料を用いることもできる。
【００２２】
外縁部４０、４４は、感圧性接着剤、感熱性接着剤、超音波によって、又は流体排出物が外縁部４０、４４を超えて、その後吸収性物品１０から流出するのを防止する他の公知の接合手段によって接合することができる。
外縁部４０、４４のシール係合は、縦方向側部３４に隣接する吸収性物品１０の縦方向長さに沿って連続的に延びる。しかしながら、シール係合は、不連続的なもの、千鳥状のもの等であってもよいと考えられる。外縁部４０、４４は、外方に様々な長さに延びることができ、或いは、吸収性物品１０は、縁部４０、４４を含まなくてもよいことが想定される。
吸収体コア１６は、身体表面に隣接して配置するのを促進するために、縦方向に吸収性物品１０に沿って配置される。吸収性物品１０の縦方向形状は、人の腿領域の間に配置することを可能にし、引き上げられて股領域をカバーすることができる。それらの外側の端部において、吸収体コア１６は、カバーストック１２の弓形の縁部３５と整列された弓形の縁部４８を有する。縁部３５、４８はまた、身体表面に適合するために可撓性である。吸収性物品１０、及び吸収体コア１６のそれぞれは、例えば、長方形、楕円形、砂時計形などといった種々の形状及び寸法に製造することができると想定される。吸収体コア１６は、柔軟であり、人に適合するように構成される。
【００２３】
吸収体コア１６は、パルプ／超吸収体ポリマー材料から製造される。これは、例えば身体の動き、弾性収縮などのような力がかかったときに、吸収体綿撒糸２０まわりの所望の変形を促進するために、薄く可撓性のある層を形成する。吸収体コア１６は、吸収体綿撒糸２０より高い坪量及び低い密度を有し、高い可撓性及び弾性があり、乾燥状態と湿潤状態との両方において改善された一体性を有する。吸収体コア１６の坪量は、吸収性物品１０の寸法に応じて、５０から１０００ｇｓｍまでの範囲とすることができる。吸収性物品１０は、様々な寸法及び吸収力レベルに製造することができる。吸収体コア１６は、丸みを帯びた端部をもつほぼ長方形の形状をもつ。しかしながら、他の形状も想定される。
さらに、吸収体コア１６の表面積は、吸収性物品１０の寸法及び吸収力レベルに応じて変化可能である。吸収体コア１６の表面積は、１００から８００ｃｍ2の範囲とすることができる。吸収体コア１６の密度は、およそ０．０８ｇ／ｃｃであり、吸収体綿撒糸２０の密度は、およそ０．１０ｇ／ｃｃである。吸収体コア１６のブレンドは、パルプ（５５％−９５％の範囲）と超吸収体粒子（５％−４５％の範囲）とを含むことが好ましく、ティッシュラップすることができる。吸収体綿撒糸２０のブレンドは、パルプ（およそ６５％）、超吸収体粒子（およそ２５％）、及びバインダ繊維（およそ１０％）を含むことが好ましい。バインダ繊維は、内部コアにポリエステル及び外鞘にポリエチレンを含有する二成分繊維である。単なる説明のために、吸収性物品１０の幾つかの可能な寸法及び吸収力レベルを以下に示す。
【００２４】
2005527299.tif 000003
【００２５】
上記の表における吸収体綿撒糸２０は、簡略化のために、坪量及び材料の構成については一定に保たれていることに注意されたい。しかしながら、吸収性物品用途の特定の要求に従って、各選択肢のために他の坪量及び材料を用いることができる。
流体排出物を吸収し、保持することができる吸収体コア１６の材料には、例えば、セルロース繊維、木材パルプ、再生セルロース、レーヨン、ビスコース、綿繊維、又はパルプと他の繊維とのブレンドのような親水性材料、或いは超吸収体ポリマー材料を含有する発泡体などを用いることができる。吸収性物品１０の嵩は、特定の吸収力用途の要求に従って、例えば、親水コロイド材料、架橋アクリレートポリマー等のような高い液体保持特性をもつ超吸収体ポリマー材料を加えることによって減らすことができる。さらに、超吸収体繊維も同様に用いることができる。超吸収体ポリマー粒子は、望ましくは粒状形態で吸収体コア１６の中に行き渡らせることができる。使用される超吸収体ポリマー粒子は、３から８グラムまでの範囲内であるが、他の範囲も想定されると考えられる。
吸収体コア１６の身体対向側１８は、吸収体コア１６に流体排出物を移送する一助となる１つ又はそれ以上の捕集層を含むことができる。この層は、エンボス加工された又は吸収体コア１６に付着されたティッシュ層を含むことができる。吸収体コア１６はまた、化学的に又は物理的に修飾することができる。吸収体コアは、こうした材料を、空気堆積材料、クリープセルロース填綿、メルトブローンポリマー、ティッシュ層、ティッシュラップ、ティッシュラミネート、発泡体、セルロースアセテート、スポンジ、ジェル材料等のような他の天然及び合成材料と組み合わせて含むことができると考えられる。
【００２６】
吸収性物品用途の特定の要求に応じて、吸収体コア１６が種々のキャリパ区域、親水性勾配、超吸収体勾配、低密度捕集区域、複数層又は構造体等を有する別の設計も想定される。
吸収体綿撒糸２０は、吸収性物品１０に沿って縦方向に延びる砂時計形状を有する。吸収体綿撒糸２０は、最終的には人の股領域に配置され、そこに配置するために他の形状をとることもできる。中央区域２６は、吸収性物品１０に沿って縦方向に延び、両側の凹形側部５０を含む。外側の端部２８、３０は、それぞれ弓形面５２、５４を有する。凹形側部５０及び弓形面５２、５４は、吸収体綿撒糸２０まわりの吸収体コア１６の所望の変形を促進して、境界チャネル３２によって定められる区分２４を形成する。この形状は、身体表面への適合性を有利に促進し、吸収性物品１０の不本意な変形を防止して、流体排出物の漏れを防止する。
凹形側部５０及び面５２、５４は、身体表面に適合し、吸収性物品１０の所望の変形を促進するために種々の幾何学的形状をとることができる。区分２４は、身体表面の輪郭に適合して、その中に分散された流体排出物が縦方向側部３４に向かって流れるようにする。これは、漏れによる失敗が起こる前に、必要に応じてより多くの吸収体コア材料の使用を促進する。区分２４は、装着中に身体表面と共に動くことによって吸収性物品１０がこれらの利点を達成するのを助け、それにより流体排出物が迅速に分散され、有効な流体管理が行われる。
【００２７】
吸収体綿撒糸２０は、吸収体コア１６の身体対向側１８に取り付けられ、空気堆積複合材料から製造される。吸収体綿撒糸２０は、幅が狭く、長さが短く、低い坪量を有し、吸収体コア１６に対する構造的安定性が堅固なものである。吸収体綿撒糸２０は、身体対向面３６に取り付けられた三次元捕集フィルム層３８を含む。層３８は、吸収体綿撒糸２０への流体排出物の流れを促進する孔又はコーン５６を含む。したがって、層３８は、高体積及び高流速の流体排出物を管理し、移送し、収容し及び／又は吸収体綿撒糸２０に向ける。層３８は、例えば、圧力、過飽和（再湿潤）を受けるときに、流体排出物がカバーストック１２を通って濡らすのを防止するように構成される。これは、再湿潤を有利に減らして、皮膚の健康状態を促進し、刺激を減らす。層３８は、通気結合ウェブ、二成分不織ウェブ、セルロース繊維等とすることができると考えられる。層３８は、吸収体コア用途に適した組立用接着剤のいずれかによって一定位置に接着して取り付けることができる。層３８を含む吸収体綿撒糸２０は、ダイカットし、及び位置合わせすることによって製造されるが、当業者には公知の他の製造方法を用いることもできると想定される。
【００２８】
吸収体物品１０は、縦方向側部３４に配置された弾性部材５８を含む。弾性部材５８は、吸収性物品１０の平坦な形状を望ましく変形するように構成される。この望ましい変形は、端部３５、４８を互いに吸収体綿撒糸２０に向けて引っぱる。この吸収性物品１０の弾性傾向は、吸収体綿撒糸２０によって促進されるカップ又はバケット形の形状を形成する。弾性部材５８は、人の内腿領域のまわりをラップし、適合するように構成されるサイドギャザーを形成する。弾性部材５８は、接着剤で被覆され、カバーストック１２に取り付けられる。この形状は剛性を最小にする。弾性部材５８は、バックシート２２と接触しないことが望ましい。これは、弾性部材５８によって収縮される材料の量を有利に減少させ、それによりサイドギャザーを柔軟にする。
種々の長さの弾性体を用いることができると考えられる。さらに、種々の幅、個々のストランド又は糸、円形、四角形又は長方形の形状、ひとまとめにされた複数のストランド等を用いることができると考えられる。特定の吸収性物品用途の要求に応じて、弾性部材５８の弾性度、剛性度、及び可撓性度を変えることができる。弾性部材５８のサイドギャザーは、人の腿の付近にカフス状の形状を形成することができる。弾性部材は、例えば、ヒートシール可能及び熱収縮可能なラテックス、ポリウレタン、スパンデックス、弾性発泡体等のような合成又は天然ゴムといったどんな適切な材料から製造することもできる。スロットコーティング、螺旋スプレー、メルトブローン、直接弾性コーティング又は他の接着方法を用いて、弾性部材５８をカバーストック１２に固定することができると考えられる。
【００２９】
バックシート２２は、防湿層であり、該バックシートに取り付けられた剥離ストリップ６０を含む。剥離ストリップ６０は、位置決め接着剤６２を十分にカバーし、使用前に露出されないようにするための防護として働く。位置決め接着剤６２は、吸収性物品１０を下着（図示せず）の股部外側に固定する。剥離ストリップ６０は、吸収性物品１０を使用する準備をするときに、位置決め接着剤６２から剥離ストリップ６０を容易に除去できるようにするために、シリコンコーティングを含む。位置決め接着剤６２は、バックシート２２の衣類対向側４６に断続的に位置合わせされる１つ又はそれ以上の接着剤トラックを含むことができる。位置決めのためにホットメルト接着剤が用いられる。位置決め接着剤６２は、例えば、アクリル系接着剤等のような水ベースの接着剤といった感圧接着剤材料を含むことができると想定される。さらに、迅速に固まる熱可塑性接着剤、両面接着テープ、天然又は合成ゴムに基づく接着剤などを使用できると想定される。接着剤６６は、直線、四角、円等といった別の形状を含むことができると考えられる。
【００３０】
使用の際に、吸収性物品１０は、消費用途のために適切に用意され、パッケージされる。吸収性物品１０はまた、そうするのが望ましければ滅菌することができる。剥離ストリップ６０は、位置決め接着剤６２を露出させるために除去される。位置決め接着剤６２は、取り付けるために人の下着に係合接触させられる（図示せず）。吸収性物品１０は、下着と共に、人の腿の間に配置される。吸収体コア１６の端部３５、４８は、人の前部及び後部の方に向けられ、吸収体綿撒糸２０の端部２８、３０は、同様に股領域の真下に向けられる。端部３５、４８は、弾性部材５８によって身体表面に向けて引っぱられる。
吸収体コア１６は、吸収体綿撒糸２０まわりで望ましく変形して区分２４を形成し、吸収性物品１０が身体表面まわりにカップ状形状を形成するように可撓性を促進する。使用の際に、吸収性物品１０は、説明したように区分２４を介して望ましく変形して、装着中の人の輪郭に適合する。吸収体綿撒糸２０と吸収体コア１６との協働により、吸収性物品１０に可撓性が与えられて、その不本意な変形が防止される。吸収体綿撒糸２０と吸収体コア１６は、流体排出物を吸収し、保持する。他の使用方法も考えられる。
【００３１】
図４を参照すると、吸収性物品１１０の別の実施形態が示されている。図１−図３について説明された吸収性物品１０と同様に、吸収性物品１１０は、「犬用の骨」又は「砂時計」状の形状をとる細長い吸収体綿撒糸１２０を含む。カバーストック１１２及び吸収体コア１１６はまた、大きな身体表面積に適応するために細長くされる。弾性部材１５８は、カバーストック１１２の縦方向長さ全体に沿って延びる。この形状は、例えば、大きな腿表面積をもつ人のための用途において、改善された吸収力を有利に与える。
ここで開示された実施形態に種々の修正をなし得ることを理解されたい。したがって、上記の詳細な説明は、限定するものとしてではなく、種々の実施形態の単なる例示と解釈されるべきである。当業者であれば、添付の請求項の範囲及び精神の中での他の修正が想起されるであろう。
【図面の簡単な説明】
【００３２】
【図１】本開示の原理に係る吸収性物品の１つの特定の実施形態の平面図である。
【図２】図１に示された吸収性物品の側部断面図である。
【図３】図１に示された吸収性物品の側部斜視図である。
【図４】図１に示された吸収性物品の別の実施形態の平面図である。
【図１】
2005527299.tif 000004
【図２】
2005527299.tif 000005
【図３】
2005527299.tif 000006
【図４】
2005527299.tif 000007
【国際調査報告】
2005527299.tif 000008
2005527299.tif 000009
2005527299.tif 000010